(57)【要約】【課題】実態に即したユーザのアイテムの使用に関する統計情報を効率的に取得することができる、端末装置、管理システム、通知方法を提供すること。【解決手段】  管理システム１は、ユーザが衣類を装着した際に、ＩＣタグ４から衣類ＩＤを受信し、衣類ＩＤを受信したことを契機に端末装置２からユーザの位置情報を取得し、当該衣類ＩＤと位置情報とを関連付けた履歴情報を保持する。これにより、ユーザの衣類の装着の実態に即した履歴情報を管理することができる。また、管理システム１は、基準となる位置に基づいて履歴情報を集計し、その集計結果を通知するので、過去の衣類の装着頻度に応じた通知をすることができる。すなわち、管理システム１は、ユーザが偏ったアイテムで特定の他のユーザ・場所を訪れることを防ぐことができる。【選択図】図１
2015179406.tif 000002
【特許請求の範囲】
【請求項１】
ユーザがアイテムを装着した際に、当該アイテムの情報であるアイテム情報を出力する通信デバイスから前記アイテム情報を受信するアイテム情報受信手段と、
前記アイテム情報受信手段が前記アイテム情報を受信したことを契機に、前記ユーザの位置を取得する位置取得手段と、
前記アイテム情報受信手段により受信された前記アイテム情報と、前記位置取得手段により取得された位置の情報である位置情報とを対応付けた情報である履歴情報を保持する履歴情報保持手段と、
前記履歴情報を集計するための基準となる基準情報を取得する基準取得手段と、
前記履歴情報保持手段が保持する履歴情報を、前記基準取得手段が取得した基準情報に基づいて集計し、アイテムの装着頻度を取得する集計手段と、
前記集計手段が集計した結果に基づいた通知を行う通知手段と、
を備える、端末装置。
【請求項２】
前記基準取得手段は、訪問位置を含むスケジュール情報を取得し、前記訪問位置を前記基準情報として取得する、請求項１に記載の端末装置。
【請求項３】
前記基準取得手段は、直近の前記アイテム情報受信時に前記位置取得手段により取得された位置を前記基準情報として取得する、請求項１に記載の端末装置。
【請求項４】
ユーザが身につけたアイテムの装着に関する履歴情報を管理するサーバと、前記サーバと通信可能な端末装置とを含む管理システムであって、
ユーザがアイテムを装着した際に、当該アイテムの情報であるアイテム情報を出力する通信デバイスから前記アイテム情報を受信するアイテム情報受信手段と、
前記アイテム情報受信手段が前記アイテム情報を受信したことを契機に、前記ユーザの位置を取得する位置取得手段と、
前記アイテム情報受信手段により受信された前記アイテム情報と、前記位置取得手段により取得された位置の情報である位置情報とを対応付けた情報である履歴情報を保持する履歴情報保持手段と、
前記履歴情報を集計するための基準となる基準情報を取得する基準取得手段と、
前記履歴情報保持手段が保持する履歴情報を、前記基準取得手段が取得した基準情報に基づいて集計し、前記アイテムの装着頻度を取得する集計手段と、
前記集計手段が集計した結果に基づいた通知を行う通知手段と、
を備える管理システム。
【請求項５】
前記位置取得手段は、前記位置を取得した日時の情報である日時情報をさらに取得し、
前記履歴情報保持手段は、ユーザ毎に前記履歴情報と前記日時情報とをさらに対応付けて保持し、
異なるユーザの前記履歴情報の前記日時情報及び前記位置情報が互いに対応する場合、当該異なるユーザ同士が接近していたと判断する判断手段と、をさらに備え、
前記基準取得手段は、通知対象のユーザと他ユーザとの面会に関する予定を含むスケジュール情報を取得し、前記スケジュール情報から特定される前記他ユーザを前記基準情報として取得し、
前記集計手段は、前記履歴情報保持手段が保持する前記履歴情報の中から、前記判断手段によって前記通知対象のユーザと前記他ユーザとが接近していたと判断された履歴情報を集計する、請求項４に記載の管理システム。
【請求項６】
端末装置によって実行される通知方法であって、
ユーザがアイテムを装着した際に、当該アイテムの情報であるアイテム情報を出力する通信デバイスから前記アイテム情報を受信するアイテム情報受信ステップと、
前記アイテム情報受信ステップで前記アイテム情報を受信したことを契機に、前記ユーザの位置を取得する位置取得ステップと、
前記アイテム情報受信ステップにより受信された前記アイテム情報と、前記位置取得ステップにより取得された位置の情報である位置情報とを対応付けた情報である履歴情報を保持する履歴情報保持ステップと、
前記履歴情報を集計するための基準となる基準情報を取得する基準取得ステップと、
前記履歴情報保持ステップで保持する履歴情報を、前記基準取得ステップで取得した基準情報に基づいて集計し、前記アイテムの装着頻度を取得する集計ステップと、
前記集計ステップで集計した結果に基づいた通知を行う通知ステップと、を含む通知方法。
【請求項７】
ユーザが身につけたアイテムの装着に関する履歴情報を管理するサーバと、前記サーバと通信可能な端末装置とを含む管理システムで実行される通知方法であって、
ユーザがアイテムを装着した際に、当該アイテムの情報であるアイテム情報を出力する通信デバイスから前記アイテム情報を受信するアイテム情報受信ステップと、
前記アイテム情報受信ステップで前記アイテム情報を受信したことを契機に、前記ユーザの位置を取得する位置取得ステップと、
前記アイテム情報受信ステップにより受信された前記アイテム情報と、前記位置取得ステップにより取得された位置の情報である位置情報とを対応付けた情報である履歴情報を保持する履歴情報保持ステップと、
前記履歴情報を集計するための基準となる基準情報を取得する基準取得ステップと、
前記履歴情報保持ステップで保持する履歴情報を、前記基準取得ステップで取得した基準情報に基づいて集計し、前記アイテムの装着頻度を取得する集計ステップと、
前記集計ステップで集計した結果に基づいた通知を行う通知ステップと、
を含む通知方法。
【発明の詳細な説明】
【技術分野】
【０００１】
本発明は、端末装置、管理システム及び通知方法に関する。
【背景技術】
【０００２】
従来から、過去に身につけたアイテム（服、装飾品等）をコンピュータで管理する技術が知られている。例えば、下記特許文献１には、ユーザが利用した服等のアイテムの画像、及び当該アイテムの属性（例えば、素材、種類、色等）の入力操作を受け付け、入力した属性情報等とユーザのスケジュール情報とを互いに関連付けて管理する服飾データ管理装置が記載されている。このような、服飾データ管理装置によれば、何時、何処で、誰と会ったときに、どのアイテムの組み合わせを装着していたかを管理し、アイテム別の使用頻度等の統計結果を提供することができる。
【先行技術文献】
【特許文献】
【０００３】
【特許文献１】特開平７−２４３１１２号公報
【発明の概要】
【発明が解決しようとする課題】
【０００４】
しかしながら、特許文献１に記載のような服飾データ管理装置を利用する場合、ユーザが身につけたアイテムの情報を逐次入力する必要があり、最新の情報を常に管理することは困難である。また、ユーザによる入力忘れが発生することも起こり得る。この結果、実態に即したアイテムの使用頻度等の統計情報を取得することが困難になるという問題があった。
【０００５】
そこで、本発明は、かかる課題に鑑みて為されたものであり、実態に即したユーザのアイテムの使用に関する統計情報を効率的に取得することができる、端末装置、管理システム、通知方法を提供することを目的とする。
【課題を解決するための手段】
【０００６】
本発明に係る端末装置は、ユーザがアイテムを装着した際に、当該アイテムの情報であるアイテム情報を出力する通信デバイスからアイテム情報を受信するアイテム情報受信手段と、アイテム情報受信手段がアイテム情報を受信したことを契機に、ユーザの位置を取得する位置取得手段と、アイテム情報受信手段により受信されたアイテム情報と、位置取得手段により取得された位置の情報である位置情報とを対応付けた情報である履歴情報を保持する履歴情報保持手段と、履歴情報を集計するための基準となる基準情報を取得する基準取得手段と、履歴情報保持手段が保持する履歴情報を、基準取得手段が取得した基準情報に基づいて集計し、アイテムの装着頻度を取得する集計手段と、集計手段が集計した結果に基づいた通知を行う通知手段と、を備える。
【０００７】
また、本発明に係る通知方法は、端末装置によって実行される通知方法であって、ユーザがアイテムを装着した際に、当該アイテムの情報であるアイテム情報を出力する通信デバイスからアイテム情報を受信するアイテム情報受信ステップと、アイテム情報受信ステップでアイテム情報を受信したことを契機に、ユーザの位置を取得する位置取得ステップと、アイテム情報受信ステップにより受信されたアイテム情報と、位置取得ステップにより取得された位置の情報である位置情報とを対応付けた情報である履歴情報を保持する履歴情報保持ステップと、履歴情報を集計するための基準となる基準情報を取得する基準取得ステップと、履歴情報保持ステップで保持する履歴情報を、基準取得ステップで取得した基準情報に基づいて集計し、アイテムの装着頻度を取得する集計ステップと、集計ステップで集計した結果に基づいた通知を行う通知ステップと、を含む。
【０００８】
このような本発明に係る端末装置及び通知方法によれば、通信デバイスからアイテム情報を受信し、ユーザの位置を取得し、当該アイテム情報と位置情報とを関連付けた履歴情報を保持するので、ユーザのアイテム装着の実態に即した履歴情報を管理することができる。また、端末装置は、基準となる位置に基づいて履歴情報を集計し、その集計結果を通知するので、過去のアイテムの装着頻度に応じた通知をすることができる。その結果、実態に即したユーザのアイテムの使用に関する統計情報を効率的に取得することができる。
【０００９】
本発明に係る端末装置では、基準取得手段は、訪問位置を含むスケジュール情報を取得し、訪問位置を基準情報として取得することとしてもよい。この場合、端末装置は、スケジュールの訪問位置を基準とした履歴情報の集計を行い、その集計結果を通知するので、これから行く予定の位置におけるアイテムの過去の装着頻度に応じた通知をすることができる。
【００１０】
また、本発明に係る端末装置では、基準取得手段は、直近のアイテム情報受信時に位置取得手段により取得された位置を基準情報として取得する、こととしてもよい。この場合、端末装置は、直近のアイテム装着時に取得した位置を基準とした履歴情報の集計を行い、その集計結果を通知するので、現在のアイテムの装着場所における、過去のアイテムの装着頻度に応じた通知をすることができる。
【００１１】
また、本発明に係る管理システムは、ユーザが身につけたアイテムの装着に関する履歴情報を管理するサーバと、サーバと通信可能な端末装置とを含む管理システムであって、ユーザがアイテムを装着した際に、当該アイテムの情報であるアイテム情報を出力する通信デバイスからアイテム情報を受信するアイテム情報受信手段と、アイテム情報受信手段がアイテム情報を受信したことを契機に、ユーザの位置を取得する位置取得手段と、アイテム情報受信手段により受信されたアイテム情報と、位置取得手段により取得された位置の情報である位置情報とを対応付けた情報である履歴情報を保持する履歴情報保持手段と、履歴情報を集計するための基準となる基準情報を取得する基準取得手段と、履歴情報保持手段が保持する履歴情報を、基準取得手段が取得した基準情報に基づいて集計し、アイテムの装着頻度を取得する集計手段と、集計手段が集計した結果に基づいた通知を行う通知手段と、を備える。
【００１２】
また、本発明に係る通知方法は、ユーザが身につけたアイテムの装着に関する履歴情報を管理するサーバと、サーバと通信可能な端末装置とを含む管理システムで実行される通知方法であって、ユーザがアイテムを装着した際に、当該アイテムの情報であるアイテム情報を出力する通信デバイスからアイテム情報を受信するアイテム情報受信ステップと、アイテム情報受信ステップでアイテム情報を受信したことを契機に、ユーザの位置を取得する位置取得ステップと、アイテム情報受信ステップにより受信されたアイテム情報と、位置取得ステップにより取得された位置の情報である位置情報とを対応付けた情報である履歴情報を保持する履歴情報保持ステップと、履歴情報を集計するための基準となる基準情報を取得する基準取得ステップと、履歴情報保持ステップで保持する履歴情報を、基準取得ステップで取得した基準情報に基づいて集計し、アイテムの装着頻度を取得する集計ステップと、集計ステップで集計した結果に基づいた通知を行う通知ステップと、を含む。
【００１３】
管理システムは、通信デバイスからアイテム情報を受信し、ユーザの位置を取得し、当該アイテム情報と位置情報とを関連付けた履歴情報を保持するので、ユーザのアイテム装着の実態に即した履歴情報を管理することができる。また、端末装置は、基準となる情報に基づいて履歴情報を集計し、その集計結果を通知するので、過去のアイテムの装着頻度に応じた通知をすることができる。その結果、実態に即したユーザのアイテムの使用に関する統計情報を効率的に取得することができる。
【００１４】
また、本発明に係る管理システムでは、位置取得手段は、位置を取得した日時の情報である日時情報をさらに取得し、履歴情報保持手段は、ユーザ毎に履歴情報と日時情報とをさらに対応付けて保持し、異なるユーザの履歴情報の日時情報及び位置情報が互いに対応する場合、当該異なるユーザ同士が接近していたと判断する判断手段と、をさらに備え、基準取得手段は、通知対象のユーザと他ユーザとの面会に関する予定を含むスケジュール情報を取得し、スケジュール情報から特定される他ユーザを基準情報として取得し、集計手段は、履歴情報保持手段が保持する履歴情報の中から、判断手段によって通知対象のユーザと他ユーザとが接近していたと判断された履歴情報を集計する、こととしてもよい。この場合、管理システムは、ユーザ毎に日時情報を対応付けて履歴情報を保持し、保持している履歴情報を基に、日時情報と位置とが対応する情報を特定することにより異なるユーザ同士が接近していたと判断する。そして、管理システムは、通知対象のユーザとこれから会う予定のユーザとが接近していたと判断された履歴情報のアイテム情報を集計し、その集計結果に基づいて通知するので、会う予定のユーザと過去に会っていた時のアイテムの装着頻度に応じて通知をすることができる。これにより例えば、過去に同じユーザに会った時と同じアイテム情報（アイテムの属性情報が同じであることも含む）のアイテムを端末装置のユーザが繰り返し身につけてしまうことを回避することができる。
【発明の効果】
【００１５】
本発明によれば、実態に即したユーザのアイテムの使用に関する統計情報を効率的に取得することができる。
【図面の簡単な説明】
【００１６】
【図１】本発明の実施形態に係る管理システムのブロック図である。
【図２】端末装置２及びサーバ装置３のハードウェア構成を示す図である。
【図３】ＩＣタグ４のハードウェア構成を示す図である。
【図４】サーバ装置３へ送信する情報の例を示す図である。
【図５】履歴情報の例を示す図である。
【図６】ＩＣタグ４及び端末装置２による処理のフローチャートである。
【図７】第１実施形態に係るスケジュールを用いて集計をする処理のフローチャートである。
【図８】第１実施形態に係る位置情報を用いて集計をする処理のフローチャートである。
【図９】第２実施形態に係る管理システムのブロック図である。
【図１０】第２に実施形態に係る履歴情報の例を示す図である。
【図１１】第２実施形態に係るスケジュールを用いて集計をする処理のフローチャートである。
【発明を実施するための形態】
【００１７】
以下、図面とともに本発明による端末装置、管理システムの好適な実施形態について詳細に説明する。なお、図面の説明においては同一要素には同一符号を付し、重複する説明を省略する。
【００１８】
図１は、本発明の好適な一実施形態にかかる管理システム１の概略構成図である。図１に示す管理システム１は、ＩＣタグ４（通信デバイス）と、端末装置２と、サーバ装置３とを含んで構成されている。管理システム１は、ユーザがアイテムを装着したことを検知し、ユーザが装着したアイテムと、当該アイテムを身につけて外出した位置とを関連付けた情報を履歴情報として保持する。また、管理システム１は、ある基準情報（例えば、外出予定の場所）に基づいて履歴情報を集計し、過去に基準情報の場所へ身につけて行ったアイテムの装着頻度に応じた通知を端末装置２へする。ここでいうアイテムとは、ユーザが身につけることが可能なものをいい、例えば、衣類、アクセサリー、靴等が該当する。
【００１９】
ＩＣタグ４と端末装置２とは、近距離通信（具体的には、Ｂｌｕｅｔｏｏｔｈ（登録商標）通信、無線ＬＡＮ通信等）により互いに通信可能である。また、端末装置２とサーバ装置３とは、移動体通信（例えば、ＩＭＴ−２０００、ＬＴＥ（Long Term Evolution）等の移動体通信）により互いに通信可能である。端末装置２及びＩＣタグ４のそれぞれは、複数あってもよい。ＩＣタグ４は、アイテムのそれぞれに取り付けられているものとする。
【００２０】
ＩＣタグ４は、ユーザが装着するアイテム（例えば、衣類等）に具備されるＩＣタグである。ＩＣタグ４は、ＩＣタグ４が備えるセンサ等による情報に基づいて、ユーザがアイテムを装着したか否かを判断し、アイテム情報を端末装置２へ送信する。これにより、端末装置２へアイテムが装着されたことを通知することができる。アイテム情報とは、アイテムを特定するための情報をいい、例えば、アイテムの識別子（ＩＤ）やアイテムの属性情報（デザイン情報等）が含まれる。ＩＣタグ４とアイテム情報の送信先となる端末装置２とは、予めリンク付け（ペアリング）がなされるようにする。例えば、ＩＣタグ４において送信先となる端末装置２が予め定義される。
【００２１】
端末装置２は、スマートフォン、タブレット端末、携帯電話等の端末装置である。端末装置２は、ＩＣタグ４からアイテム情報を受信すると、端末装置２の位置を示す情報（位置情報）を取得し、上記アイテム情報と位置情報とをサーバ装置３へ送信する。
【００２２】
サーバ装置３は、端末装置２から受信したアイテム情報と位置情報とを関連付けて履歴情報として保持するサーバ装置である。そして、サーバ装置３は、端末装置２から受信した基準情報（履歴情報を集計するための基準となる情報）に基づいて上記履歴情報を集計し、集計した結果が所定の閾値を超えた場合、端末装置２に対してアラート情報等の通知をする。
【００２３】
図２は、図１の端末装置２及びサーバ装置３を構成する情報処理装置のハードウェア構成を示すブロック図である。端末装置２及びサーバ装置３は、１又は複数のＣＰＵ２１０、主記憶装置であるＲＡＭ２１１及びＲＯＭ２１２、入力デバイスであるキーボード及びマウス等の入力装置２１３、ディスプレイ等の出力装置２１４、ネットワークカード等のデータ送受信デバイスである通信モジュール２１５、半導体メモリ等の補助記憶装置２１７などを含むコンピュータシステムとして構成されている。端末装置２及びサーバ装置３は、図２に示すＣＰＵ２１０、ＲＡＭ２１１等のハードウェア上に所定のコンピュータソフトウェアを読み込ませることにより、ＣＰＵ２１０の制御のもとで入力装置２１３、出力装置２１４、通信モジュール２１５を動作させるとともに、ＲＡＭ２１１や補助記憶装置２１６におけるデータの読み出し及び書き込みを行うことで実現される。
【００２４】
図３は、図１のＩＣタグ４を構成するハードウェア構成を示すブロック図である。ＩＣタグ４は、１又は複数のＣＰＵ４１０、主記憶装置であるＲＡＭ４１１及びＲＯＭ４１２、各種センサ（例えば、温度センサ）であるセンサ４１３、及びネットワークカード等のデータ送受信デバイスである通信モジュール４１４などを含むコンピュータシステムとして構成されている。ＩＣタグ４は、図３に示すＣＰＵ４１０、ＲＡＭ４１１等のハードウェア上に所定のコンピュータソフトウェアを読み込ませることにより、ＣＰＵ４１０の制御のもとでセンサ４１３、通信モジュール４１４を動作させるとともに、ＲＡＭ２１１おけるデータの読み出し及び書き込みを行うことで実現される。
【００２５】
図１に戻って、最初にＩＣタグ４の機能的な構成要素の説明をする。ＩＣタグ４は、機能的な構成要素として、アイテム情報保持部４１と、センサ情報取得部４２と、装着判断部４３と、アイテム情報送信部４４とを備えている。ＩＣタグ４の各構成要素の機能について詳細に説明する。なお、本実施形態では、アイテムを衣類とする。
【００２６】
アイテム情報保持部４１は、アイテム情報を保持する部分である。アイテム情報保持部４１は、アイテム情報として、各衣類を識別し得る識別子である衣類ＩＤ、衣類の属性情報であるデザイン情報を保持する。ＩＣタグ４は、ＩＣタグ４が付されているアイテムをユーザが装着したと判断した後に、アイテム情報保持部４１が保持しているアイテム情報を端末装置２へ送信する。
【００２７】
センサ情報取得部４２は、センサ４１３からセンサ値をセンサ情報として取得する部分である。例えば、ＩＣタグ４のセンサ４１３として温度センサを備えている場合、センサ情報取得部４２は、温度センサからセンサ値を取得する。後述する装着判断部４３が当該センサ値を用いて、ユーザが当該ＩＣタグ４を取り付けた衣類を装着しているか否かを判断する。
【００２８】
装着判断部４３は、ユーザが衣類を装着しているか否かを判断する部分である。具体的には、装着判断部４３は、センサ情報取得部４２が取得したセンサ情報を、ユーザが衣類を装着したか否かを判断するための情報に変換する。例えば、ＩＣタグ４が温度センサを備えている場合、装着判断部４３は、センサ情報取得部４２が取得したセンサ情報を電圧値に変換し、さらに温度値に変換する。そして、装着判断部４３は、ＩＣタグ４の記憶手段（例えば、ＲＯＭ４１２等）に保持されている閾値である温度閾値と、上記温度値とを比較する。そして、装着判断部４３は、温度閾値と温度値とを比較した結果、温度値が温度閾値を超えている場合に、ユーザが当該ＩＣタグ４を取り付けている衣類を装着したと判断する。なお、装着判断部４３は、温度閾値と、上記温度値とを比較して、温度値が温度閾値を超えていなければ、ユーザが衣類を装着していないと判断する。なお、装着判断部４３が、ユーザが衣類を装着したと判断した場合、アイテム情報送信部４４が、衣類ＩＤ等を端末装置２へ送信する。そして、装着判断部４３は、一度装着したことを判断した場合、所定期間（例えば、６時間）装着判断の処理を止めるようにしてもよい。ユーザは、一度装着した衣類を一定期間身につけている可能性が高いためである。
【００２９】
アイテム情報送信部４４は、衣類ＩＤを端末装置２へ送信する部分である。具体的には、ユーザが衣類を装着したと装着判断部４３が判断した場合に、アイテム情報送信部４４は、アイテム情報保持部４１によって保持されている衣類ＩＤをアイテム情報として端末装置２へ送信する。なお、アイテム情報送信部４４は、さらに属性情報（デザイン情報等）をアイテム情報として送信してもよい。
【００３０】
続いて、端末装置２の機能的な構成要素の説明をする。端末装置２は、機能的な構成要素として、アイテム情報受信部２１（アイテム情報受信手段）と、位置取得部２２（位置取得手段）と、情報送信部２３と、通知処理部２４とを備えている。端末装置２の各構成要素の機能について詳細に説明する。
【００３１】
アイテム情報受信部２１は、ＩＣタグ４から衣類ＩＤを受信する。具体的に、アイテム情報受信部２１は、ユーザが衣類を装着した際に、当該衣類の情報である衣類ＩＤを出力するＩＣタグ４から衣類ＩＤを受信する。なお、アイテム情報受信部２１が衣類ＩＤを受信した後、情報送信部２３が当該衣類ＩＤをサーバ装置３へ送信する。
【００３２】
位置取得部２２は、アイテム情報受信部２１が衣類ＩＤを受信したことを契機に、ユーザの位置として端末装置２の位置情報を所定間隔で取得する。具体的には、位置取得部２２は、端末装置２が備えるＧＰＳユニットにより位置情報（例えば、緯度経度情報）を取得する。位置取得部２２によって、位置情報が取得されると、情報送信部２３が当該位置情報をサーバ装置３へ送信する。
【００３３】
情報送信部２３は、サーバ装置３へ情報を送信する部分である。具体的には、情報送信部２３は、アイテム情報受信部２１によって受信された衣類ＩＤと、位置取得部２２によって取得された位置情報（例えば、緯度情報、経度情報）と当該位置情報の取得日時を示す日時情報とをサーバ装置３へ送信する。
【００３４】
なお、情報送信部２３は、直近の位置情報とその前の位置情報とを比較して所定の閾値である移動閾値（端末装置２のＲＯＭ２１２で保持されている値）を超える変化があった場合に、アイテム情報受信部２１によって受信された衣類ＩＤと、位置取得部２２によって取得された位置情報と日時情報とをサーバ装置３へ送信する。すなわち、情報送信部２３は、ユーザが一定距離分移動した場合に、上記衣類ＩＤと位置情報と日時情報とをサーバ装置３へ送信する。なお、情報送信部２３は、衣類ＩＤと位置情報と日時情報とを別々に送信するようにしてもよい。
【００３５】
ここで、情報送信部２３がサーバ装置３へ送信する、衣類ＩＤと位置情報とを含めた情報のデータ構成例を図４に示す。図４に示すように、情報送信部２３は、衣類ＩＤと、時間情報（例えば、当該位置情報の取得日時を示す日時情報、情報送信部２３が送信するタイミングの日時情報等）と、位置情報とをサーバ装置３へ送信する。
【００３６】
また、情報送信部２３は、端末装置２に入力されたスケジュール情報をサーバ装置３へ送信する。ここでスケジュール情報には、訪問先（訪問位置）を示す位置情報の他に面会予定の相手を示す情報（アラート情報の通知対象のユーザが面会予定の相手の情報）、訪問日時の情報を含む。また、情報送信部２３は、サーバ装置３へスケジュール情報、位置情報、及び衣類ＩＤ等の情報を送信する場合、端末装置２のユーザＩＤ（端末装置２に保持されているユーザ識別情報）を送信する。
【００３７】
通知処理部２４は、サーバ装置３から通知を受信すると共に、受信した通知を出力する部分である。通知処理部２４は、サーバ装置３から受信する通知として、アラート情報（装着するアイテムが偏っている傾向があることを意味するアラート等）を受信する。また、通知処理部２４は、上記アラート情報を端末装置２の出力装置２１４へ出力する。
【００３８】
続いて、サーバ装置３の機能的な構成要素の説明をする。サーバ装置３は、機能的な構成要素として、情報受信部３１と、情報登録部３２と、履歴情報格納部３３（履歴情報保持手段）と、スケジュール情報格納部３４と、基準情報取得部３５（基準取得手段）と、集計部３６（集計手段）と、通知部３７（通知手段）とを備えている。サーバ装置３の各構成要素の機能について詳細に説明する。
【００３９】
情報受信部３１は、端末装置２から情報を受信する部分である。具体的には、情報受信部３１は、図４に示した衣類ＩＤと、位置情報と、日時情報とを受信する。また、情報受信部３１は、スケジュール情報も受信する。そして、端末装置２からユーザＩＤが送信された場合、情報受信部３１は、当該ユーザＩＤも受信する。情報受信部３１によって受信された衣類ＩＤと位置情報と日時情報とは、履歴情報として履歴情報格納部３３に情報登録部３２によって格納される。また、情報受信部３１によって受信されたスケジュール情報は、スケジュール情報格納部３４に情報登録部３２によって格納される。
【００４０】
情報登録部３２は、情報受信部３１が受信した情報を履歴情報格納部３３やスケジュール情報格納部３４に登録する部分である。具体的には、情報登録部３２は、情報受信部３１から受信した衣類ＩＤと、位置情報と、日時情報とを履歴情報として履歴情報格納部３３に格納する。そして、情報登録部３２は、端末装置２から情報受信部３１が受信したスケジュール情報をスケジュール情報格納部３４に格納する。
【００４１】
履歴情報格納部３３は、履歴情報を格納する部分である。具体的には、履歴情報格納部３３は、日時情報と、衣類ＩＤと、位置情報とを対応付けた情報である履歴情報を保持する。なお、情報受信部３１が端末装置２からユーザＩＤを受信している場合、情報登録部３２が、ユーザＩＤも履歴情報に含めて格納するようにしてもよい。
【００４２】
履歴情報の例を図５に示す。履歴情報は、日時と衣類ＩＤと位置情報とを有する。履歴情報格納部３３に格納されている履歴情報を用いて、集計部３６が位置情報毎に集計を行う。なお、端末装置２は、上述のようにユーザが一定距離分移動した場合に、上記衣類ＩＤと位置情報とを送信している。よって、単に通過しただけの場所の履歴情報も履歴情報格納部３３に格納されることになる。従って、集計部３６が、位置情報単位で集計すると、単に通過しただけの場所の履歴情報も集計対象となってしまう。そこで、上述の情報登録部３２が、前後の位置情報の時間経過に基づいて履歴情報に滞在フラグ情報を付加するようにしてもよい。例えば、情報登録部３２は、第１の履歴情報の日時と、その直前に登録された履歴情報である第２の履歴情報の日時とを比較して、両者の差がサーバ装置３で予め定めた閾値である滞在閾値以上である場合に、第１の履歴情報に滞在フラグ情報を付加する。情報登録部３２は、履歴情報を履歴情報格納部３３に格納するタイミングで滞在フラグ情報を付加するようにしてもよいし、一定期間毎にまとめてバッチ処理により滞在フラグ情報を付加するようにしてもよい。
【００４３】
スケジュール情報格納部３４は、スケジュール情報を格納する部分である。スケジュール情報格納部３４に格納されているスケジュール情報を用いて、基準情報取得部３５が集計の基準となる情報を特定する。
【００４４】
基準情報取得部３５は、履歴情報を集計するための基準となる情報である基準情報を取得する部分である。基準情報取得部３５による基準情報の取得方法としては、スケジュール情報格納部３４からスケジュールを取得して、そのスケジュール情報から基準情報（スケジュール情報に含まれる訪問先）を取得する方法と、サーバ装置３が端末装置２から直近に受信した位置情報を基準情報として取得する方法（サーバ装置が直近の衣類ＩＤ受信時に取得された位置情報を基準情報として取得する方法）とがある。基準情報取得部３５によって基準情報が取得されると、集計部３６が当該基準情報に基づいて履歴情報の集計を行う。
【００４５】
集計部３６は、履歴情報を基準情報に基づいて集計し、アイテムの装着頻度を取得する部分である。具体的に、集計部３６は、履歴情報の内、基準情報の位置情報と同一又は対応する位置情報（緯度、経度）を有し、且つ直近に情報受信部３１が受信した衣類ＩＤを有する履歴情報の数を、アイテムの装着頻度として取得する。集計部３６によって集計がなされると、通知部３７が当該集計結果に基づいて端末装置２に対して通知を行う。上述のように、集計部３６は、履歴情報と基準情報とを突き合わせて集計を行う。集計部３６は、全ての履歴情報を集計対象とすると、負荷がかかるので、例えば、過去１０日間の履歴情報を集計対象とするようにしてもよい。また、集計部３６は、情報登録部３２によって、履歴情報に滞在フラグが設定されている場合には、滞在フラグが設定されている履歴情報を集計対象とするようにしてもよい。
【００４６】
通知部３７は、集計部３６による集計した結果に基づいて端末装置２へ通知を行う部分である。具体的には、通知部３７は、集計部３６により集計された数が、予めサーバ装置３で定められた閾値である通知閾値以上の場合に、端末装置２へ通知を行う。この通知は、着用している衣類が偏っていることを意味する通知である。すなわち、通知部３７は、集計部３６により集計された数と通知閾値とを比較した結果に基づいて端末装置２へ通知を行う。通知部３７は、例えば、集計部３６による過去１０日の集計結果に基づいて、集計数が通知閾値（例えば、４回）以上の場合、端末装置２へ通知する。
【００４７】
続いて、図６に示すフローチャートを用いて、ＩＣタグ４と、端末装置２とが実行する処理の手順を説明する。この処理には、ＩＣタグ４によって、ユーザが衣類を着用したことが検出されたことを契機に、端末装置２が着用したことを意味する情報と、端末装置２が取得した位置情報とをサーバ装置３へ送信する処理と、端末装置２がサーバ装置３からアラート通知を受信し、当該アラート通知を出力する処理とを含む。
【００４８】
まず、ＩＣタグ４のセンサ情報取得部４２は、所定のタイミングでセンサ情報を取得する（ステップＳ１）。そして、装着判断部４３は、センサ情報取得部４２によって取得されたセンサ情報に基づいた値が着用を意味する値（例えば、温度閾値以上の値）か否かを判断する（ステップＳ２）。装着判断部４３によってセンサ情報に基づいた値が着用を意味する値ではない場合（ステップＳ２；ＮＯ）、処理をステップＳ１へ移す。そして、装着判断部４３によってセンサ情報に基づいた値が着用を意味する値である場合（ステップＳ２；ＹＥＳ）、アイテム情報送信部４４は、アイテム情報として衣類ＩＤを端末装置２へ送信する（ステップＳ３）。端末装置２のアイテム情報受信部２１は、衣類ＩＤを受信する。そして、情報送信部２３は、当該衣類ＩＤをサーバ装置３へ送信する（ステップＳ４）。
【００４９】
位置取得部２２は、ＩＣタグ４から衣類ＩＤを受信したことをトリガーとして、位置情報を取得する（ステップＳ５）。そして、情報送信部２３は、当該位置情報に基づいて、端末装置２が移動したことを検知した場合、当該位置情報及び日時情報をサーバ装置３へ送信する（ステップＳ６）。
【００５０】
その後、通知処理部２４は、サーバ装置３からアラート通知を受信すると、当該アラート通知を端末装置２の出力装置２１４へ出力し（ステップＳ７）、処理を終了する。
【００５１】
続いて、図７及び図８に示すフローチャートを用いて、サーバ装置３の処理を説明する。図７に示すフローチャートは、スケジュール情報を用いてユーザが着用している衣類が偏っているか否かを判断し、偏っている場合に端末装置２へ通知する処理である。なお、サーバ装置３は、予め端末装置２のユーザのスケジュール情報を端末装置２から受信し、受信したスケジュール情報をスケジュール情報格納部３４に格納しているものとする。
【００５２】
サーバ装置３の情報受信部３１は、端末装置２からアイテム情報である衣類ＩＤを受信し（ステップＳ１１）、その後に端末装置２から位置情報及び日時情報を受信する（ステップＳ１２）。
【００５３】
情報登録部３２は、衣類ＩＤと日時と位置情報（緯度、経度）とを対応付けた履歴情報を履歴情報格納部３３に登録する（ステップＳ１３）。そして、基準情報取得部３５は、衣類ＩＤを取得したタイミングに対応する（衣類ＩＤを取得した時刻に直近する）スケジュール情報をスケジュール情報格納部３４から取得し、当該スケジュール情報における訪問先を基準情報として取得する（ステップＳ１４）。
【００５４】
集計部３６は、履歴情報格納部３３に登録された履歴情報を対象にして、基準情報に対応する位置情報を有し、且つ情報受信部３１が直近に受信した衣類ＩＤを有する履歴情報の件数を集計する（ステップＳ１５）。そして、通知部３７は、集計部３６が集計した件数が通知閾値以上である場合に（ステップＳ１６；ＹＥＳ）、アラート情報を端末装置２へ通知する（ステップＳ１７）。一方、通知部３７は、集計部３６が集計した件数が通知閾値未満である場合には（ステップＳ１６；ＮＯ）、アラート情報を端末装置２へ通知することなく処理を終了する。
【００５５】
続いて、図８に示すフローチャートの説明をする。図８に示すフローチャートは、サーバ装置３が直近に受信した位置情報を用いてユーザが着用している衣類が偏っているか否かを判断し、ユーザが着用している衣類が偏っている場合に端末装置２へアラート情報を通知する処理を示す。
【００５６】
ステップＳ２１〜ステップＳ２３までの処理は、ステップＳ１１〜ステップＳ１３の処理と同様であるので、省略する。
【００５７】
そして、ステップＳ２３の処理後、基準情報取得部３５は、直近に情報受信部３１が受信した位置情報を基準情報として取得する。そして、集計部３６は、基準情報に対応する位置情報を有し、且つ情報受信部３１が受信した衣類ＩＤを有する履歴情報の件数を集計する（ステップＳ２４）。なお、この場合、集計部３６は、履歴情報の日時情報を参照して、当日の履歴情報を集計対象から外すようにしてもよい。この場合、集計部３６は、過去の履歴情報に絞って集計するので、過去の着用傾向に即した集計結果を得ることができる。
【００５８】
そして、通知部３７は、集計部３６によって集計された件数が通知閾値以上である場合に（ステップＳ２５；ＹＥＳ）、アラート情報を端末装置２へ通知する（ステップＳ２６）。一方、通知部３７は、集計部３６が集計した件数が通知閾値未満である場合には（ステップＳ２５；ＮＯ）、アラート情報を端末装置２へ通知することなく処理を終了する。なお、直近に情報受信部３１が衣類ＩＤを受信したタイミングに対応するスケジュール情報がある場合は、図７に示したフローチャートによる処理を実行して、情報受信部３１が衣類ＩＤを受信したタイミングに対応するスケジュール情報が無い場合は、図８に示したフローチャートによる処理を実行するようにしてもよい。
【００５９】
（第２実施形態）
続いて、図９に本発明の第２実施形態に係る管理システム１Ａのブロック図を示す。管理システム１Ａは、ＩＣタグ４と、端末装置２と、サーバ装置３Ａとを含んで構成される。なお、ＩＣタグ４及び端末装置２は、複数あるものとする。
【００６０】
第２実施形態に係る管理システム１Ａは、複数の端末装置２からサーバ装置３Ａに送信された位置情報に基づいて、複数の端末装置２のユーザ同士が会っていたことを特定し、過去に会っていた時の衣類と同一または類似する衣類を着用した場合、アラートするものである。
【００６１】
ＩＣタグ４及び端末装置２は、ＩＣタグ４が衣類ＩＤと共にデザイン情報を端末装置２へ送信すること、及び端末装置２が衣類ＩＤと共にデザイン情報をサーバ装置３へ送信すること以外は、第１実施形態と同一であるので、ブロック図の説明を省略する。続いて、サーバ装置３Ａの機能的な構成要素の説明をする。サーバ装置３Ａは、機能的な構成要素として、情報受信部３１と、情報登録部３２Ａと、履歴情報格納部３３Ａ（履歴情報保持手段）と、スケジュール情報格納部３４と、基準情報取得部３５Ａ（基準取得手段）と、集計部３６Ａ（集計手段）と、通知部３７Ａ（通知手段）と、接近判断部３８（判断手段）とを備えている。サーバ装置３の各構成要素の機能について詳細に説明する。なお、情報受信部３１及びスケジュール情報格納部３４は、情報受信部３１が端末装置２からデザイン情報を受信すること以外、第１実施形態と同一であるので、説明を省略する。
【００６２】
情報登録部３２Ａは、位置情報と衣類ＩＤとデザイン情報と日時情報とユーザＩＤとを関連付けて履歴情報を登録した後に、後述する接近判断部３８によって判断された接近ユーザの情報を履歴情報に含めて登録する。
【００６３】
履歴情報格納部３３Ａは、情報登録部３２Ａによって、登録された履歴情報を格納する。図１０には、履歴情報格納部３３Ａに格納される履歴情報を示す。図１０に示す履歴情報は、図５に示した履歴情報にデザイン情報と接近したユーザの情報である接近情報とをさらに対応付けている。
【００６４】
基準情報取得部３５Ａは、スケジュール情報格納部３４に格納されているスケジュール情報からアラート情報の通知対象のユーザが面会予定の相手の情報（他ユーザの情報）を基準情報として取得する。
【００６５】
集計部３６Ａは、履歴情報の中から、基準情報の示す他ユーザと同一の接近情報を有し、且つ直近に情報受信部３１が受信したデザイン情報を有する履歴情報の数を集計する。
【００６６】
接近判断部３８は、異なるユーザの履歴情報の日時情報及び位置情報が互いに対応する場合、当該異なるユーザ同士が接近していたと判断する部分である。具体的には、接近判断部３８は、履歴情報を参照し、それぞれ異なるユーザの履歴情報において、同一の日時情報であり、且つ位置情報が対応する場合、それぞれのユーザ同士が接近していたと判断する。なお、接近判断部３８は、所定のタイミングで履歴情報を参照して、バッチ処理により実行するようにしてもよい。なお、情報登録部３２Ａは、接近判断部３８が接近していたと判断した情報を接近情報として履歴情報へ反映する。
【００６７】
続いて、図１１のフローチャートを用いて、本実施形態に係るサーバ装置３Ａで実行される処理及び動作を説明する。図１１に記載のフローチャートの処理は、面会予定の相手のユーザと過去に会っていた時に着用した衣類の情報に基づいて、ユーザが着用している衣類が偏っているか否かを判断し、偏っている場合に端末装置２にその旨を通知する処理である。
【００６８】
ステップＳ３１〜ステップＳ３３までの処理は、ステップＳ１１〜ステップＳ１３の処理と同様であるので、その説明を省略する。
【００６９】
そして、基準情報取得部３５Ａは、衣類ＩＤを取得したタイミングに対応する（衣類ＩＤを取得した時刻に直近する）スケジュール情報をスケジュール情報格納部３４から取得し、当該スケジュール情報における面会予定の相手の情報を基準情報として取得する（ステップＳ３４）。
【００７０】
集計部３６Ａは、履歴情報を参照し、基準情報に対応する接近情報を有し、且つ、情報受信部３１が受信したデザイン情報を有する履歴情報の件数を集計する（ステップＳ３５）。そして、通知部３７は、集計部３６Ａが集計した件数が通知閾値以上である場合に（ステップＳ３６；ＹＥＳ）、アラート情報を端末装置２へ通知する（ステップＳ３７）。一方、通知部３７は、集計部３６Ａが集計した件数が通知閾値未満である場合には（ステップＳ３６；ＮＯ）、アラート情報を端末装置２へ通知することなく処理を終了する。
【００７１】
なお、本発明は、上述した実施形態に限定されるものではない。
例えば、上述の実施形態では、ＩＣタグ４が温度センサを備える場合について述べたが、加速度センサを備えるようにしてもよい。ＩＣタグ４が加速度センサを備える場合、ＩＣタグ４は、加速度センサにより一定期間に所定閾値以上の加速度を検知した場合、ユーザがアイテムを装着したと判断する。
【００７２】
また、上述の実施形態では、端末装置２がＧＰＳユニットを備える場合について述べたが、ＩＣタグ４がＧＰＳユニットを備えるようにしてもよい。予めＩＣタグ４が自宅の位置情報を有している場合に、ＧＰＳユニットによる測位結果に基づいて自宅を離れたことを検知したときに、ＩＣタグ４は、アイテムを装着したと判断する。また、ＩＣタグ４から端末装置２へＧＰＳユニットによる測位結果を通知するようにしてもよい。この場合、端末装置２がＧＰＳユニットを備える必要がなく、端末装置２の処理負荷を軽減させることができる。
【００７３】
また、宅内の無線通信装置（例えば、ＺＩＧＢＥＥ（登録商標）、Ｂｌｕｅｔｏｏｔｈ（登録商標）通信、無線ＬＡＮ通信により通信可能な装置）を設け、ＩＣタグ４が当該無線通信装置と通信可能か所定のタイミングで判断し、接続不可能であると判断したときにユーザがアイテムを装着したと判断するようにしてもよい。そして、この場合に、ＩＣタグ４がサーバ装置３へ着用情報をサーバ装置３へ送信するようにしてもよい。
【００７４】
また、ＩＣタグ４が、接触センサを備えるようにしてもよい。この場合、ＩＣタグ４は、アイテムが自宅に配置されている際に接触している物（例えば、アイテムが服である場合における、ハンガー等）から離れたことを検出した場合、ＩＣタグ４は、アイテムを装着したと判断する。そして、アイテムが自宅に配置されている際に接触している物（例えば、ハンガー等）に通信装置を備えるようにしてもよい。この場合、アイテムが自宅に配置されている際に接触している物が、ＩＣタグ４の接触センサから離れたことを検出した際に、上記通信装置がサーバ装置３へアイテム情報を送信する。
【００７５】
ＩＣタグ４は、近距離通信のモジュールを有する場合について述べたが、ＩＣタグ４が移動体通信用のモジュールを有するようにしてもよい。この場合、ＩＣタグ４は、アイテム情報と端末装置２のユーザＩＤとをサーバ装置３へ直接送信するようにしてもよい。
【００７６】
なお、上述の実施形態では、集計部３６は、位置情報に基づいて集計する場合について述べたが、位置情報に基づいて集計せずに、情報受信部３１が受信した衣類ＩＤを有する履歴情報の件数を集計して、通知部３７がこの集計結果に基づいて通知を行うようにしてもよい。
【００７７】
なお、上述の実施形態では、集計部３６Ａは、基準情報に対応する接近情報を有し、情報受信部３１が受信したデザイン情報を有する履歴情報の件数を集計したが、集計部３６Ａは、基準情報に対応する接近ユーザが直近にサーバ装置３へ送信した衣類ＩＤを取得し、通知部３７は、当該衣類ＩＤのデザイン情報と、情報受信部３１が受信した直近の衣類ＩＤのデザイン情報とが同一である場合に端末装置２へアラート情報を通知するようにしてもよい。この場合、ユーザが着用する衣類のデザインが、同行する他人と重複してしまうことを回避することができる。
【００７８】
なお、上述の実施形態では、端末装置２から衣類ＩＤと位置情報とをサーバ装置３へ送信し、サーバ装置３が当該衣類ＩＤと位置情報とを有する履歴情報を保持し、スケジュール情報等から基準情報を取得し、当該基準情報に基づいて履歴情報を集計して、アラーム通知する場合について述べたが、端末装置２がサーバ装置３に対応する機能を有するようにしてもよい。例えば、端末装置２がサーバ装置３へ位置情報と着用情報をサーバ装置３へ送信せずに、端末装置２が位置情報と衣類ＩＤと日時情報とを関連付けた履歴情報を保持する。また、端末装置２は、スケジュール情報を保持し、当該スケジュール情報に基づいて基準情報を取得し、取得した基準情報に基づいて履歴情報を集計してアラーム出力するようにしてもよい。すなわち、端末装置２が、情報登録部３２と、履歴情報格納部３３と、スケジュール情報格納部３４と、基準情報取得部３５と、集計部３６と、通知部３７とに対応する機能を有するようにしてもよい。なお、この場合において、端末装置２は、他のユーザの履歴情報をサーバ装置３から受信するようにしてもよい。そして、他のユーザの履歴情報と、保持している履歴情報とを用いて、異なるユーザの履歴情報の日時情報及び位置情報が互いに対応する場合、当該異なるユーザ同士が接近していたと判断し、接近していたと判断した情報を接近情報として履歴情報へ反映するようにしてもよい。すなわち、端末装置２が、上述の情報登録部３２Ａ及び接近判断部３８に対応する機能を有するようにしてもよい。
【００７９】
（作用効果）
続いて、作用効果について説明する。管理システム１は、ユーザが衣類を装着した際に、ＩＣタグ４から衣類ＩＤを受信し、衣類ＩＤを受信したことを契機に端末装置２からユーザの位置情報を取得し、当該衣類ＩＤと位置情報とを関連付けた履歴情報を保持するので、ユーザの衣類の装着の実態に即した履歴情報を管理することができる。すなわち、管理システム１は、衣類着用の観点におけるユーザの生活ログを計測することができる。また、管理システム１は、基準となる位置に基づいて履歴情報を集計し、その集計結果を通知するので、過去の衣類の装着頻度に応じた通知をすることができる。すなわち、管理システム１は、ユーザが偏ったアイテムで特定の他のユーザに会ったり、同一場所を訪れたりすることを防ぐことができる。
【００８０】
また、基準情報取得部３５は、位置を含むスケジュール情報を取得して、当該訪問位置を基準位置として取得しているので、これから行く予定の位置におけるアイテムの過去の装着頻度に応じた通知をすることができる。
【００８１】
また、基準情報取得部３５は、直近のアイテム情報受信時に取得された位置を基準位置情報として取得している。すなわち、サーバ装置３は、直近のアイテム装着時に取得した位置を基準とした履歴情報の集計を行い、その集計結果を通知するので、現在のアイテムの装着場所における、過去のアイテムの装着頻度に応じた通知をすることができる。
【００８２】
また、管理システム１Ａは、ユーザ毎に日時情報を対応付けて履歴情報を保持し、保持している履歴情報を用いて、日時情報と位置とが対応するユーザ同士が接近していたと判断する。そして、管理システム１Ａは、これから会う予定のユーザと接近していたと判断された履歴情報のアイテム情報を集計し、その集計結果に基づいて通知するので、会う予定のユーザと過去に会っていた時のアイテムの装着頻度に応じて通知をすることができる。例えば、過去に会った時と同じアイテム情報を有するアイテムを端末装置のユーザが身につけてしまうことを回避することができる。
【符号の説明】
【００８３】
１、１Ａ…管理システム、２…端末装置、３…サーバ装置、４…ＩＣタグ、２１…アイテム情報受信部、２２…位置取得部、２３…情報送信部、２４…通知処理部、３１…情報受信部、３２、３２Ａ…情報登録部、３３、３３Ａ…履歴情報格納部、３４…スケジュール情報格納部、３５、３５Ａ…基準情報取得部、３６、３６Ａ…集計部、３７、３７Ａ…通知部、３８…接近判断部、４１…アイテム情報保持部、４２…センサ情報取得部、４３…装着判断部、４４…アイテム情報送信部。
【図１】
2015179406.tif 000003
【図２】
2015179406.tif 000004
【図３】
2015179406.tif 000005
【図４】
2015179406.tif 000006
【図５】
2015179406.tif 000007
【図６】
2015179406.tif 000008
【図７】
2015179406.tif 000009
【図８】
2015179406.tif 000010
【図９】
2015179406.tif 000011
【図１０】
2015179406.tif 000012
【図１１】
2015179406.tif 000013